(57)【特許請求の範囲】
【請求項１】
通信回線網を介して第３者端末からの位置検索要求に対し、位置検索を許可するか否かを判定する位置検索判定手段と、
位置情報を検出する検出手段と、
前記検出手段により検出された前記位置情報の精度を複数段階で劣化する劣化手段と、
前記通信回線網を介して前記第３者端末からの位置検索要求に対し、該第３者端末の正当性を認証する認証手段と、
前記認証手段による認証結果に応じた精度の位置情報を前記第３者端末に送信する送信手段と、
を有することを特徴とする移動携帯端末。
【請求項２】
前記劣化手段により複数段階で劣化された前記位置情報の精度毎に認証情報を設定する設定手段を有し、
前記認証手段は、
前記第３者端末から送信される認証情報と、前記設定手段により前記位置情報の精度毎に設定された認証情報と、の一致判定を行うことを特徴とする請求項１記載の移動携帯端末。
【請求項３】
前記認証手段により前記認証結果が一致しない場合に、前記第３者端末による位置検索要求が不許可である旨を通知することを特徴とする請求項２記載の移動携帯端末。
【請求項４】
緊急通報動作の有無を検知する検知手段を有し、
前記送信手段は、
前記検知手段により緊急通報動作であると検知された場合に、緊急通報先に対して前記劣化手段により複数段階で劣化された前記位置情報の精度のうち、最も精度の高い位置情報を送信することを特徴とする請求項１から３のいずれか１項に記載の移動携帯端末。
【請求項５】
緊急時専用の認証情報を登録する登録手段を有し、
前記送信手段は、
前記認証手段により前記第３者端末から送信される認証情報が前記登録手段に登録されている前記緊急時専用の認証情報であると認証された場合に、前記劣化手段により複数段階で劣化された前記位置情報の精度のうち、最も精度の高い位置情報を送信する
ことを特徴とする請求項１から４のいずれか１項に記載の移動携帯端末。
【請求項６】
移動携帯端末と第３者端末とが通信回線網を介して接続されてなる位置検索システムであって、
前記第３者端末は、
前記移動携帯端末に対して該移動携帯端末の位置検索要求を送信する第１の送信手段を有し、
前記移動携帯端末は、
前記第１の送信手段により前記第３者端末から送信された位置検索要求に対し、位置検索を許可するか否かを判定する位置検索判定手段と、
該移動携帯端末の位置情報を検出する検出手段と、
前記検出手段により検出された前記位置情報の精度を複数段階で劣化する劣化手段と、
前記第１の送信手段により前記第３者端末から送信された位置検索要求に対し、該第３者端末の正当性を認証する認証手段と、
前記劣化手段により複数段階で精度を劣化された位置情報の中から、前記認証手段による認証結果に応じた精度の位置情報を前記第３者端末に送信する第２の送信手段と、
を有し、
前記第３者端末は、
前記第２の送信手段により送信された前記認証結果に応じた精度の位置情報を表示することを特徴とする位置検索システム。
【請求項７】
前記移動携帯端末は、
前記劣化手段により複数段階で劣化された前記位置情報の精度毎に認証情報を設定する設定手段を有し、
前記認証手段は、
前記第３者端末から送信される認証情報と前記設定手段により前記位置情報の精度毎に設定された認証情報との一致判定を行うことを特徴とする請求項６記載の位置検索システム。
【請求項８】
前記移動携帯端末は、
緊急通報動作の有無を検知する検知手段を有し、
前記送信手段は、
前記検知手段により緊急通報動作である場合に、緊急通報先に対して前記劣化手段により複数段階で劣化された前記位置情報の精度のうち、最も精度の高い位置情報を送信することを特徴とする請求項６または７記載の位置検索システム。
【請求項９】
前記移動携帯端末は、
緊急時専用の認証情報を登録する登録手段を有し、
前記送信手段は、
前記認証手段により前記第３者端末から送信される認証情報が前記登録手段に登録されている前記緊急時専用の認証情報である場合に、前記劣化手段により複数段階で劣化された前記位置情報の精度のうち、最も精度の高い位置情報を送信することを特徴とする請求項６から８のいずれか１項に記載の位置検索システム。
【請求項１０】
前記移動携帯端末は、
前記認証手段により前記認証結果が一致しない場合に、前記第３者端末による位置検索要求が不許可である旨を該第３者端末に通知することを特徴とする請求項６から９のいずれか１項に記載の位置検索システム。
【請求項１１】
移動携帯端末と第３者端末とが通信回線網を介して接続されてなる位置検索システムの位置検索方法であって、
前記第３者端末は、
前記移動携帯端末に対して該移動携帯端末の位置検索要求を送信する第１の送信ステップを有し、
前記移動携帯端末は、
前記第１の送信ステップにより前記第３者端末から送信された位置検索要求に対し、位置検索を許可するか否かを判定する位置検索判定ステップと、
該移動携帯端末の位置情報を検出する検出ステップと、
前記検出ステップにより検出された前記位置情報の精度を複数段階で劣化する劣化ステップと、
前記第１の送信ステップにより前記第３者端末から送信された位置検索要求に対し、該第３者端末の正当性を認証する認証ステップと、
前記劣化ステップにより複数段階で精度を劣化された位置情報の中から、前記認証ステップによる認証結果に応じた精度の位置情報を前記第３者端末に送信する第２の送信ステップと、を有し、
前記第３者端末は、
前記第２の送信ステップにより送信された前記認証結果に応じた精度の位置情報を表示することを特徴とする位置検索方法。
【請求項１２】
前記移動携帯端末は、
前記劣化ステップにより複数段階で劣化された前記位置情報の精度毎に認証情報を設定する設定ステップを有し、
前記認証ステップは、
前記第３者端末から送信される認証情報と前記設定ステップにより前記位置情報の精度毎に設定された認証情報との一致判定を行うことを特徴とする請求項１１記載の位置検索方法。
【請求項１３】
前記移動携帯端末は、
緊急通報動作の有無を検知する検知ステップを有し、
前記送信ステップは、
前記検知ステップにより緊急通報動作である場合に、緊急通報先に対して前記劣化ステップにより複数段階で劣化された前記位置情報の精度のうち、最も精度の高い位置情報を送信することを特徴とする請求項１１または１２記載の位置検索方法。
【請求項１４】
前記移動携帯端末は、
緊急時専用の認証情報を登録する登録ステップを有し、
前記送信ステップは、
前記認証ステップにより前記第３者端末から送信される認証情報が前記登録ステップに登録されている前記緊急時専用の認証情報である場合に、前記劣化ステップにより複数段階で劣化された前記位置情報の精度のうち、最も精度の高い位置情報を送信することを特徴とする請求項１１から１３のいずれか１項に記載の位置検索方法。
【請求項１５】
前記移動携帯端末は、前記認証ステップにより前記認証結果が一致しない場合に、前記第３者端末による位置検索要求が不許可である旨を該第３者端末に通知する通知ステップを有することを特徴とする請求項１１から１４のいずれか１項に記載の位置検索方法。
【請求項１６】
移動携帯端末と第３者端末とが通信回線網を介して接続されてなる位置検索システムのプログラムであって、
前記第３者端末に、
前記移動携帯端末に対して該移動携帯端末の位置検索要求を送信する第１の送信処理を実行させ、
前記移動携帯端末に、
前記第１の送信処理により前記第３者端末から送信された位置検索要求に対し、位置検索を許可するか否かを判定する位置検索判定処理と、
該移動携帯端末の位置情報を検出する検出処理と、
前記検出処理により検出された前記位置情報の精度を複数段階で劣化する劣化処理と、
前記第１の送信処理により前記第３者端末から送信された位置検索要求に対し、該第３者端末の正当性を認証する認証処理と、
前記劣化処理により複数段階で精度を劣化された位置情報の中から、前記認証処理による認証結果に応じた精度の位置情報を前記第３者端末に送信する第２の送信処理と、
を実行させ、
前記第３者端末に、
前記第２の送信処理により前記移動携帯端末から送信された前記認証結果に応じた精度の位置情報を表示させることを特徴とする位置検索システムのプログラム。
【請求項１７】
前記移動携帯端末に、前記劣化処理により複数段階で劣化された前記位置情報の精度毎に認証情報を設定する設定処理を実行させ、
前記認証処理は、
前記第３者端末から送信される認証情報と前記設定処理により前記位置情報の精度毎に設定された認証情報との一致判定を行うことを特徴とする請求項１６記載の位置検索システムのプログラム。
【請求項１８】
前記移動携帯端末に、
緊急通報動作の有無を検知する検知処理を実行させ、
前記送信処理は、
前記検知処理により緊急通報動作である場合に、緊急通報先に対して前記劣化処理により複数段階で劣化された前記位置情報の精度のうち、最も精度の高い位置情報を送信することを特徴とする請求項１６または１７記載の位置検索システムのプログラム。
【請求項１９】
前記移動携帯端末に、
緊急時専用の認証情報を登録する登録処理を実行させ、
前記送信処理は、
前記認証処理により前記第３者端末から送信される認証情報が前記登録処理に登録されている前記緊急時専用の認証情報である場合に、前記劣化処理により複数段階で劣化された前記位置情報の精度のうち、最も精度の高い位置情報を送信することを特徴とする請求項１６から１８のいずれか１項に記載の位置検索システムのプログラム。
【請求項２０】
前記移動携帯端末に、
前記認証処理において前記認証結果が一致しない場合、前記第３者端末による位置検索要求が不許可である旨を該第３者端末に通知する通知処理を実行させることを特徴とする請求項１６から１９のいずれか１項に記載の位置検索システムのプログラム。
【発明の詳細な説明】
【０００１】
【発明の属する技術分野】
本発明は、移動携帯端末、位置検索システム及びその位置検索方法並びにそのプログラムに関し、特に通信回線を介して第３者により位置情報を検索する際に用いられる移動携帯端末、位置検索システム及びその位置検索方法並びにそのプログラムに関する。
【０００２】
【従来の技術】
従来の位置検出機能としては、ＧＰＳ(Global Positioning System) を利用した方法が知られている。このＧＰＳは、２０００年５月にＳＡ（Selective Availability：故意による精度劣化）が解除されたことにより、測位結果として数ｍ〜数１０ｍ単位の精度で位置検索が可能となった。また、ＰＨＳ等の携帯電話基地局を利用した位置検索サービスにおいても、位置検索精度を高くする検討がなされている。
【０００３】
このような測位を利用した位置検索サービスとしては、自分の位置を検出する以外にも、第３者の位置を検索する第３者位置検索サービスがある。この第３者位置検索サービスにおいて、第３者から位置の検索要求があった場合には、一般的にパスワード等の認証情報の照合を行うことにより、自分が予め検索を許可した人物（パスワードを教えた人）からの検索要求しか受け付けないようにするものであった。
【０００４】
【発明が解決しようとする課題】
しかしながら、上述する従来の位置検索サービスにおいては、位置情報を検索する際に用いられるパスワードが盗まれたり、あるいは、知らぬまにユーザの所有物でない位置検出機能を具備した移動携帯端末をバッグ等に忍びこまされたりした場合に、このユーザの行動を第３者によって監視されることとなってしまう。このことは、プライバシーの侵害やストーカといった問題、さらには犯罪へと繋がる危険性があるといった問題点があった。
【０００５】
このような問題点を考慮した場合、従来の位置情報検索サービスでは、第３者からの位置検索要求を拒否するか、現在の位置情報をそのまま送信するか、といった選択に限られるものであり、本来の位置検索サービスとしての価値が激減してしまうものであった。
【０００６】
本発明は、上記問題点に鑑みて成されたものであり、位置検索サービスにおいて、第３者からの位置検索要求によるプライバシーの侵害、ストーカー等の犯罪を未然に防止する移動携帯端末、位置検索システム及びその位置検索方法並びにそのプログラムを提供することを第１の目的とする。
【０００７】
また、本発明は、緊急通報時において、最も精度の良い位置検索を実現する移動携帯端末、位置検索システム及びその位置検索方法並びにそのプログラムを提供することを第２の目的とする。
【０００８】
前記課題を解決するために、請求項１記載の発明は、通信回線網を介して第３者端末からの位置検索要求に対し、位置検索を許可するか否かを判定する位置検索判定手段と、位置情報を検出する検出手段と、検出手段により検出された位置情報の精度を複数段階で劣化する劣化手段と、通信回線網を介して第３者端末からの位置検索要求に対し、該第３者端末の正当性を認証する認証手段と、認証手段による認証結果に応じた精度の位置情報を第３者端末に送信する送信手段と、を有することを特徴とする。
【０００９】
請求項２記載の発明は、請求項１記載の発明において、劣化手段により複数段階で劣化された位置情報の精度毎に認証情報を設定する設定手段を有し、認証手段は、第３者端末から送信される認証情報と、設定手段により位置情報の精度毎に設定された認証情報と、の一致判定を行うことを特徴とする。
【００１０】
請求項３記載の発明は、請求項２記載の発明において、認証手段により認証結果が一致しない場合に、第３者端末による位置検索要求が不許可である旨を通知することを特徴とする。
【００１１】
請求項４記載の発明は、請求項１から３のいずれか１項に記載の発明において、緊急通報動作の有無を検知する検知手段を有し、送信手段は、検知手段により緊急通報動作であると検知された場合に、緊急通報先に対して劣化手段により複数段階で劣化された位置情報の精度のうち、最も精度の高い位置情報を送信することを特徴とする。
【００１２】
請求項５記載の発明は、請求項１から４のいずれか１項に記載の発明において、緊急時専用の認証情報を登録する登録手段を有し、送信手段は、認証手段により第３者端末から送信される認証情報が登録手段に登録されている緊急時専用の認証情報であると認証された場合に、劣化手段により複数段階で劣化された位置情報の精度のうち、最も精度の高い位置情報を送信することを特徴とする。
【００１３】
請求項６記載の発明は、移動携帯端末と第３者端末とが通信回線網を介して接続されてなる位置検索システムであって、第３者端末は、移動携帯端末に対して該移動携帯端末の位置検索要求を送信する第１の送信手段を有し、移動携帯端末は、第１の送信手段により第３者端末から送信された位置検索要求に対し、位置検索を許可するか否かを判定する位置検索判定手段と、該移動携帯端末の位置情報を検出する検出手段と、検出手段により検出された位置情報の精度を複数段階で劣化する劣化手段と、第１の送信手段により第３者端末から送信された位置検索要求に対し、該第３者端末の正当性を認証する認証手段と、劣化手段により複数段階で精度を劣化された位置情報の中から、認証手段による認証結果に応じた精度の位置情報を第３者端末に送信する第２の送信手段と、を有し、第３者端末は、第２の送信手段により送信された認証結果に応じた精度の位置情報を表示することを特徴とする。
【００１４】
請求項７記載の発明は、請求項６記載の発明において、移動携帯端末は、劣化手段により複数段階で劣化された位置情報の精度毎に認証情報を設定する設定手段を有し、認証手段は、第３者端末から送信される認証情報と設定手段により位置情報の精度毎に設定された認証情報との一致判定を行うことを特徴とする。
【００１５】
請求項８記載の発明は、請求項６または７記載の発明において、移動携帯端末は、緊急通報動作の有無を検知する検知手段を有し、送信手段は、検知手段により緊急通報動作である場合に、緊急通報先に対して劣化手段により複数段階で劣化された位置情報の精度のうち、最も精度の高い位置情報を送信することを特徴とする。
【００１６】
請求項９記載の発明は、請求項６から８のいずれか１項に記載の発明において、移動携帯端末は、緊急時専用の認証情報を登録する登録手段を有し、送信手段は、認証手段により第３者端末から送信される認証情報が登録手段に登録されている緊急時専用の認証情報である場合に、劣化手段により複数段階で劣化された位置情報の精度のうち、最も精度の高い位置情報を送信することを特徴とする。
【００１７】
請求項１０記載の発明は、請求項６から９のいずれか１項に記載の発明において、移動携帯端末は、認証手段により認証結果が一致しない場合に、第３者端末による位置検索要求が不許可である旨を該第３者端末に通知することを特徴とする。
【００１８】
請求項１１記載の発明は、移動携帯端末と第３者端末とが通信回線網を介して接続されてなる位置検索システムの位置検索方法であって、第３者端末は、移動携帯端末に対して該移動携帯端末の位置検索要求を送信する第１の送信ステップを有し、移動携帯端末は、第１の送信ステップにより第３者端末から送信された位置検索要求に対し、位置検索を許可するか否かを判定する位置検索判定ステップと、該移動携帯端末の位置情報を検出する検出ステップと、検出ステップにより検出された位置情報の精度を複数段階で劣化する劣化ステップと、第１の送信ステップにより第３者端末から送信された位置検索要求に対し、該第３者端末の正当性を認証する認証ステップと、劣化ステップにより複数段階で精度を劣化された位置情報の中から、認証ステップによる認証結果に応じた精度の位置情報を第３者端末に送信する第２の送信ステップと、を有し、第３者端末は、第２の送信ステップにより送信された認証結果に応じた精度の位置情報を表示することを特徴とする。
【００１９】
請求項１２記載の発明は、請求項１１記載の発明において、移動携帯端末は、劣化ステップにより複数段階で劣化された位置情報の精度毎に認証情報を設定する設定ステップを有し、認証ステップは、第３者端末から送信される認証情報と設定ステップにより位置情報の精度毎に設定された認証情報との一致判定を行うことを特徴とする。
【００２０】
請求項１３記載の発明は、請求項１１または１２記載の発明において、移動携帯端末は、緊急通報動作の有無を検知する検知ステップを有し、送信ステップは、検知ステップにより緊急通報動作である場合に、緊急通報先に対して劣化ステップにより複数段階で劣化された位置情報の精度のうち、最も精度の高い位置情報を送信することを特徴とする。
【００２１】
請求項１４記載の発明は、請求項１１から１３のいずれか１項に記載の発明において、移動携帯端末は、緊急時専用の認証情報を登録する登録ステップを有し、送信ステップは、認証ステップにより第３者端末から送信される認証情報が登録ステップに登録されている緊急時専用の認証情報である場合に、劣化ステップにより複数段階で劣化された位置情報の精度のうち、最も精度の高い位置情報を送信することを特徴とする。
【００２２】
請求項１５記載の発明は、請求項１１から１４のいずれか１項に記載の発明において、移動携帯端末は、認証ステップにより認証結果が一致しない場合に、第３者端末による位置検索要求が不許可である旨を該第３者端末に通知する通知ステップを有することを特徴とする。
【００２３】
請求項１６記載の発明は、移動携帯端末と第３者端末とが通信回線網を介して接続されてなる位置検索システムのプログラムであって、第３者端末に、移動携帯端末に対して該移動携帯端末の位置検索要求を送信する第１の送信処理を実行させ、移動携帯端末に、第１の送信処理により第３者端末から送信された位置検索要求に対し、位置検索を許可するか否かを判定する位置検索判定処理と、該移動携帯端末の位置情報を検出する検出処理と、検出処理により検出された位置情報の精度を複数段階で劣化する劣化処理と、第１の送信処理により第３者端末から送信された位置検索要求に対し、該第３者端末の正当性を認証する認証処理と、劣化処理により複数段階で精度を劣化された位置情報の中から、認証処理による認証結果に応じた精度の位置情報を第３者端末に送信する第２の送信処理と、を実行させ、第３者端末に、第２の送信処理により移動携帯端末から送信された認証結果に応じた精度の位置情報を表示させることを特徴とする。
【００２４】
請求項１７記載の発明は、請求項１６記載の発明において、移動携帯端末に、劣化処理により複数段階で劣化された位置情報の精度毎に認証情報を設定する設定処理を実行させ、認証処理は、第３者端末から送信される認証情報と設定処理により位置情報の精度毎に設定された認証情報との一致判定を行うことを特徴とする。
【００２５】
請求項１８記載の発明は、請求項１６または１７記載の発明において、移動携帯端末に、緊急通報動作の有無を検知する検知処理を実行させ、送信処理は、検知処理により緊急通報動作である場合に、緊急通報先に対して劣化処理により複数段階で劣化された位置情報の精度のうち、最も精度の高い位置情報を送信することを特徴とする。
【００２６】
請求項１９記載の発明は、請求項１６から１８のいずれか１項に記載の発明において、移動携帯端末に、緊急時専用の認証情報を登録する登録処理を実行させ、送信処理は、認証処理により第３者端末から送信される認証情報が登録処理に登録されている緊急時専用の認証情報である場合に、劣化処理により複数段階で劣化された位置情報の精度のうち、最も精度の高い位置情報を送信することを特徴とする。
【００２７】
請求項２０記載の発明は、請求項１６から１９のいずれか１項に記載の発明において、移動携帯端末に、認証処理において認証結果が一致しない場合、第３者端末による位置検索要求が不許可である旨を該第３者端末に通知する通知処理を実行させることを特徴とする。
【００２８】
【発明の実施の形態】
次に、添付図面を参照しながら本発明の実施形態である移動携帯端末、位置検索システム及びその位置検索方法並びにそのプログラムを詳細に説明する。図１から図１１に、本発明に係る移動携帯端末、位置検索システム及びその位置検索方法並びにそのプログラムを詳細に説明する。
【００２９】
図１は、本発明の実施形態である移動携帯端末の概略構成を示すブロック図である。図１において、本発明の実施形態である移動携帯端末１００は、ＣＰＵ１と、ＲＯＭ２と、ＲＡＭ３と、モデム４と、無線部５と、アンテナ部６と、表示部７と、位置情報検出部８と、位置情報デコーダ部９と、位置精度劣化生成部１０と、を有して構成される。
【００３０】
ＣＰＵ１は、ＲＯＭ２に格納されたプログラムに従い、通信制御（モデム４、無線部５、アンテナ６）、表示制御（表示部７）、位置検索制御（位置情報検出部８、位置情報デコーダ部９、位置精度劣化生成部１０）など、移動携帯端末１００全体の動作を制御する。ＲＯＭ２は、移動携帯端末１００の動作制御を行うためのプログラムを格納している。ＲＡＭ３は、ＣＰＵ１によりＲＯＭ２から読み出されたプログラムを実行する際のワークエリアとして使用される。
【００３１】
モデム４及び無線部５は、アンテナ部６を介して移動携帯通信網を利用し、第３者からの検索要求の受付処理や現在位置情報の送信処理などを実行する。
【００３２】
位置情報検出部８は、ＧＰＳ機能を用いて現在位置情報を検出し、該検出された現在位置情報を位置情報デコーダ部９に送信する。位置情報デコーダ部９は、位置情報検出部８から送信された現在位置情報を緯度／経度情報として算出し、ＣＰＵ１に通知する。
【００３３】
表示部７は、ＣＰＵ１の命令により位置情報デコーダ部９で算出された位置情報（緯度／経度情報）を現在の緯度／経度、現住所、地図情報等として表示する。なお、表示部７で現住所や地図情報を表示する際には、予め緯度／経度に対応する住所のテキストデータや地図情報をＲＯＭ２に格納しておき、表示するタイミングで読み出して表示するようにしてもよく、また、それらのデータを別のサーバやデータベース等から移動携帯通信網を介してダウンロードするような構成としてもよい。
【００３４】
位置精度劣化生成部１０は、位置情報デコーダ部９により算出された現在位置を示す緯度／経度情報の精度を、予め任意に設定される複数段階毎に劣化させた情報を生成し、ＣＰＵ１に通知する。
【００３５】
本発明の実施形態である移動携帯端末において、第３者から位置情報の検索要求を受け付けた場合は、ユーザ自身が選択した位置精度情報をＣＰＵ１の命令により、モデム４、無線部５、アンテナ６を介して送信する。
【００３６】
図２は、本発明の実施形態である位置検索システムの概略構成図である。
図２において、本発明の実施形態である位置検索システムは、通信回線網３００を介して、上述する移動携帯端末１００と、第３者による位置検索時に利用される第３者端末２００と、が接続されて構成される。
【００３７】
〈第１の実施例〉
図３は、本発明の実施形態である位置検索システムにおける移動携帯端末の第１の実施例を示すフローチャートである。まず、移動携帯端末１００は、端末利用者により予め第３者による位置検索を許可するか否か、すなわち、検索要求を受け付けるか否かを設定する（ステップＳ１１）。ステップＳ１において、第３者端末２００からの検索要求を受け付けるか否かの情報は、ＣＰＵ１を介してＲＡＭ３に格納しておく。
【００３８】
ステップＳ１１において、第３者端末２００からの検索要求を許可しない場合には（ステップＳ１１／不許可）、検索要求があっても（ステップＳ１８）、第３者による位置検索が不許可である旨を第３者端末２００に通知して（ステップＳ１９）、処理を終了する。
【００３９】
ステップＳ１１において、第３者端末２００からの検索要求を許可する場合には（ステップＳ１１／許可）、第３者端末２００に対して送信する位置情報の精度を選択するか否かを設定する（ステップＳ１２）。
【００４０】
ステップＳ１２において、位置情報の精度を選択すると設定された場合には（ステップＳ１２／Ｙｅｓ）、第３者端末２００に送信する位置精度の選択を行う（ステップＳ１３）。
【００４１】
ステップＳ１３では、位置精度の選択数を暫定的に４段階（精度良、精度中、精度悪、圏外）と設定しているが、この選択数は任意に設定することが可能であるため、特に４段階に限定されるものではない。
【００４２】
ステップＳ１３において、「精度良」を選択した場合、第３者端末２００からの位置検索要求があると（ステップＳ１４ａ）、予め検索を許可された第３者に通知されているパスワードの照合処理を行った後（ステップＳ１５ａ）、現在位置情報の送信処理を行う（ステップＳ１６ａ）。この送信処理により第３者端末２００に送信される位置情報は、ステップＳ１７ａに示すように「横浜市○○△△１−２−３」といった最も位置精度の高い情報である。
【００４３】
ステップＳ１３において、「精度中」を選択した場合、第３者端末２００からの位置検索要求があると（ステップＳ１４ｂ）、予め検索を許可された第３者に通知されているパスワードの照合処理を行った後（ステップＳ１５ｂ）、現在位置情報の送信処理を行う（ステップＳ１６ｂ）。この送信処理により第３者端末２００に送信される位置情報は、ステップＳ１７ｂに示すように「横浜市○○」といった位置精度が中程度の情報である。
【００４４】
ステップＳ１３において、「精度悪」を選択した場合、第３者端末２００からの位置検索要求があると（ステップＳ１４ｃ）、予め検索を許可された第３者に通知されているパスワードの照合処理を行った後（ステップＳ１５ｃ）、現在位置情報の送信処理を行う（ステップＳ１６ｃ）。この送信処理により第３者端末２００に送信される位置情報は、ステップＳ１７ｃに示すように「横浜市」といった最も位置精度の悪い情報である。
【００４５】
ステップＳ１３において、「圏外」を選択した場合、第３者端末２００からの位置検索要求があると（ステップＳ１４ｄ）、予め検索を許可された第３者に通知されているパスワードの照合処理を行った後（ステップＳ１５ｄ）、現在位置情報の送信処理を行う（ステップＳ１６ｄ）。この送信処理により第３者端末２００に送信される位置情報は、ステップＳ１７ｄに示すように「現在位置不明」である旨を示す情報である。
【００４６】
また、ステップＳ１５ａ〜ｅのパスワード照合処理において、パスワードが一致しない場合には（ステップＳ１５ａ〜ｅ／Ｘ）、第３者による位置検索が不許可である場合と同様に、第３者による位置検索が不許可である旨を第３者端末２００に通知して（ステップＳ１９）、処理を終了する。
【００４７】
なお、本発明の実施形態である位置検索システムにおいては、第３者端末から位置検索要求があった場合に、検索対象（移動携帯端末のユーザ）の位置情報を住所（テキストデータ）で表示する形式を用いているが、位置情報デコーダ部９で算出された緯度／経度に対応する地図情報を送信することも可能である。例えば、図４から図６は、地図情報として送信された場合の第３者端末の画面表示例である。
【００４８】
図４において、移動携帯端末のユーザにより「精度良」が選択されている場合には、第３者端末に上述した「横浜市○○△△１−２−３」に対応する地図と検索対象の位置を示すマーカーが表示されるので、移動携帯端末のユーザが現在横浜市の△△駅のすぐ近くにいることを確認することができる。
【００４９】
図５において、移動携帯端末のユーザにより「精度中」が選択されている場合には、第３者端末に上述した「横浜市○○」に対応する地図と検索対象の位置を示すマーカーが表示されるので、移動携帯端末のユーザが現在横浜市の○○内にいることを確認することができる。
【００５０】
図６において、移動携帯端末のユーザにより「精度悪」が選択されている場合には、第３者端末に上述した「横浜市」に対応する地図と検索対象の位置を示すマーカーが表示されるので、移動携帯端末のユーザが現在横浜市内にいることを確認することができる。
【００５１】
図４から図６に示す第３者端末の画面表示例においては、高さ（高度）を変えて表示するため、精度良と精度悪とを比較した場合に、精度悪では移動携帯端末のユーザが実際に何処にいるかを特定することはできない。このことにより、第３者検索によるプライバシーの侵害、あるいは、ストーカーなどを未然に防止することが可能となる。
【００５２】
また、位置精度劣化生成部１０により位置精度を劣化させる際には、上述したように高さ（高度）情報を変更することも可能であるが、位置デコーダ部９で算出された緯度／経度の値に対して、予め利用者により設定されるオフセット（複数段階毎）をかけることも可能である。
【００５３】
〈第２の実施例〉
図７は、本発明の実施形態である位置検索システムにおける移動携帯端末の第２の実施例を示すフローチャートである。この第２の実施例では、第３者からの位置検索要求に対しての位置精度の設定が「精度悪」と設定されている状態で緊急通報（警察や消防など）が必要となった場合を説明する。なお、図７に示す処理は、上述する図６（第１の処理例）に示す各フロー間で発生するものとする。
【００５４】
まず、移動携帯端末１００は、図６に示す処理を実行中に割り込み要求があるか否かを判定する（ステップＳ２１）。ここで割り込み要求がない場合には（ステップＳ２１／Ｎｏ）、処理を終了する。
【００５５】
ステップＳ２１において、割り込み要求がある場合には（ステップＳ２１／Ｙｅｓ）、その割り込み要求が緊急通報であるか否かを判定する（ステップＳ２２）。緊急通報でない場合には（ステップＳ２２／Ｎｏ）、処理を終了する。
【００５６】
ステップＳ２２において、割り込み要求が緊急通報である場合には（ステップＳ２２／Ｙｅｓ）、予め移動携帯端末のユーザにより設定された位置精度「精度悪」を「精度良」に設定変更した後（ステップＳ２３）、緊急通報を行うと共に（ステップＳ２４）、最も精度の高い現在の位置情報を緊急通報先に通知する（ステップＳ２５）。緊急通報が終了すると、全ての設定を元に戻し（「精度良」から「精度悪」へ設定変更）、処理を終了する（ステップＳ２６）。
【００５７】
通常、緊急通報時には、通報者の正確な位置がタイムリーに要求されると共に、通報者自身が慌てているため、正確な位置を特定できないといったことが考えられる。本発明の第２の実施例によれば、第３者からの位置検索要求に対する位置精度の設定が「精度悪（劣化させて情報）」の状態で緊急通報を行う場合でも、位置精度の設定変更をユーザ自身が意識することなくタイムリーに通報者の正確な位置を送信することができる。さらに、通報者自身が慌てている場合でも、緊急通報先に対して正確な位置情報を送信することができる。
【００５８】
〈第３の実施例〉
図８は、本発明の実施形態である位置検索システムにおける移動携帯端末の第３の実施例を示すフローチャートである。この第３の実施例では、予め第３者端末からの検索用パスワードを複数設定しておき、位置精度と検索用パスワードとの関係を移動携帯端末のユーザが予め設定されているものである。
【００５９】
まず、移動携帯端末１００は、第３者端末２００からの位置検索要求がある場合に、当該位置検索要求を受け付けるか否か、すなわち、許可／不許可を判定する（ステップＳ３１）。ここで、第３者端末２００からの位置検索要求を受け付けない場合には（ステップＳ３１／不許可）、第３者端末からの検索が不許可である旨を通知して（ステップＳ３５）、処理を終了する。
【００６０】
ステップＳ３１において、第３者端末２００からの位置検索要求を受け付ける場合には（ステップＳ３１／許可）、第３者端末２００から送信されるパスワードの照合処理を行う（ステップ３２）。パスワードが一致しない場合には（ステップＳ３２／Ｎｏ）、第３者端末からの検索が不許可である旨を通知して（ステップＳ３５）、処理を終了する。
【００６１】
ステップＳ３２において、パスワードが一致する場合には（ステップＳ３２／Ｙｅｓ）、この一致したパスワードが予め位置精度毎に設定されているどのパスワードであるかを判定する（ステップＳ３３）。
【００６２】
例えば、パスワードＡに対して「精度良」、パスワードＢに対して「精度中」、パスワードＣに対して「精度悪」、パスワードＤに対して「圏外」、を予め設定されているものとする。
【００６３】
ステップＳ３３において、パスワードＡと判定された場合、第３者端末２００に送信される位置情報は、ステップＳ３４ａに示すように「横浜市○○△△１−２−３」といった最も位置精度の高い情報である。
【００６４】
ステップＳ３３において、パスワードＢと判定された場合、第３者端末２００に送信される位置情報は、ステップＳ３４ｂに示すように「横浜市○○」といった位置精度が中程度の情報である。
【００６５】
ステップＳ３３において、パスワードＣと判定された場合、第３者端末２００に送信される位置情報は、ステップＳ３４ｃに示すように「横浜市」といった最も位置精度の悪い情報である。
【００６６】
ステップＳ３３において、パスワードＤと判定された場合、第３者端末２００に送信される位置情報は、ステップＳ３４ｄに示すように「現在位置不明」である旨を示す情報である。
【００６７】
本発明の第３の実施例によれば、第３者端末からの位置検索検索用のパスワードを数種類用意することで、パスワードによる位置検索許可を与えた人物（第３者）に応じて位置精度の幅を持たせて位置情報を送信することが可能である。このことにより、信頼できない人には、現在位置精度を劣化させて情報送信し、犯罪等を未然に防止することが可能である。また、家族、親戚等の信頼できる人には、現在位置の精度を最も良くした状態で位置情報を送信するため、緊急時にも正確な位置情報の送信が可能となる。
【００６８】
〈第４の実施例〉
図９は、本発明の実施形態である位置検索システムにおける移動携帯端末の第４の実施例を示すフローチャートである。本発明の第４の実施例では、位置精度の最も高い位置情報が要求される場合、例えば、誘拐等の犯罪に巻き込まれている場合を説明する。
【００６９】
まず、移動携帯端末１００は、第３者端末２００からの位置検索要求を受信し（ステップＳ４１）、当該第３者端末２００側で入力された検索用のパスワードを受信する（ステップＳ４２）。
【００７０】
ここで用いられる検索用のパスワードは、上述する各実施例に示す検索用パスワードと、その性質が異なるものであり、一般に公開不可能な緊急時専用のパスワードである。このパスワードとしては、ＩＤ取得時に必要な製造番号やＩＤ鍵番号等が用いられ、通常このような番号は一般ユーザに知られることがないため、緊急用パスワードが盗まれるといった危険性は極めて低いものである。
【００７１】
ステップＳ４２おいて受信されたパスワードは、当該パスワードがどのような性質のものであるか（緊急／通常／失敗）を判定される（ステップＳ４３）。
【００７２】
ステップＳ４３において、パスワードが緊急時専用のパスワードであると判定された場合には（ステップＳ４３／緊急）、最も位置精度が良い現在位置情報を第３者端末に対して送信する（ステップＳ４４）。
【００７３】
ステップＳ４３において、パスワードが通常のパスワードであると判定された場合には（ステップＳ４３／通常）、第３者端末からの位置検索要求を受け付けるか判定する（ステップＳ４５）。この第３者端末からの位置検索要求を受け付ける場合には（ステップＳ４５／Ｙｅｓ）、移動携帯端末１００のユーザにより設定された位置精度に基づく位置情報を送信する（ステップＳ４６）。
【００７４】
ステップＳ４３において、パスワードの照合が失敗したり（ステップＳ４３／失敗）、ステップＳ４５において、第３者端末からの位置検索要求を受け付けない場合には（ステップＳ４５／Ｎｏ）、第３者端末からの位置検索要求が不許可である旨を通知して（ステップＳ４７）、処理を終了する。
【００７５】
本発明の第４の実施例によれば、移動携帯端末のユーザが第３者端末からの位置検索用時における位置精度を劣化させている場合においても、緊急時専用のパスワードを入力することで、犯罪等に巻き込まれた場合でも、最も位置精度の良い位置情報を送信することが可能である。
【００７６】
なお、上述する実施形態では、移動携帯端末がＧＰＳ機能を用いて単独測位方式により自己位置を検索する構成を示したが、これに限定されるものでなく、例えば、相対測位方式、ネットワークアシスト方式、基地局の電波強度による位置検出方式、基地局からの信号到達時間による位置検出方式、というように位置検出に関しては多種多様な方式を採用することが可能である。
【００７７】
例えば、相対測位方式を採用する場合には、図１０に示すように、移動携帯端末１００により検出された位置情報に対する補正情報をＦＭ波等で送信する位置補正端末４００を設けることにより、位置検出精度を向上することが可能である。
【００７８】
また、ネットワークアシスト方式を採用する場合には、図１１に示すように、ＧＰＳサーバ５００を設け、位置情報検出のために本発明の実施形態である移動携帯端末１００で行っていた計算（位置情報デコーダ部９や位置精度劣化生成部１０による処理）を当該ＧＰＳサーバ５００に処理させる構成とすることも可能であり、この場合、移動携帯端末１００における余分な負荷を軽減することができる。
【００７９】
さらに、基地局からの電波強度や信号到達時間による位置検出方式を採用する場合（ＰＨＳ端末を用いた場合）には、図１２に示すように、無線基地局７００ａ及び無線基地局７００ｂを介して移動携帯端末１００Ａと位置センタサーバ６００とを接続し、通信回線網３００を介して第３者端末２００と位置センタサーバ６００を接続する。この位置センタサーバ６００は、制御部６１と、位置情報検出部６２と、位置情報デコーダ部６３と、位置精度劣化部６４と、を備え、上述する本発明の実施形態における移動携帯端末１００Ａと同様の処理を実行するものとする。従って、ＧＰＳ機能を備えていないＰＨＳ端末を用いた場合でも、位置センタサーバでその機能を代行することにより、同様の効果を得ることができる。
【００８０】
なお、上述する各実施形態は、本発明の好適な実施形態であり、本発明の主旨を逸脱しない範囲内において種々変形して実施することが可能である。例えば、本発明におけるパスワードに関しては、一般的な英数字を使ったパスワード以外にも、指紋認証機能や瞳認証機能を採用して、各個人固有にしかないパスワードとすることも可能である。
【００８１】
【発明の効果】
以上の説明より明らかなように、本発明によれば、第３者端末による位置検索時に、検索用のパスワードが盗まれた場合でも、移動携帯端末保持者により意識的に自己の位置精度を劣化させた情報を送信するので、プライバシーの侵害やストーカー等の犯罪を未然に防止することができる。
【００８２】
また、本発明によれば、第３者端末による位置検索要求に対して送信する位置情報の精度を意識的に劣化させている場合においても、警察や消防等への緊急通報時には、自身の移動携帯端末の正確な位置情報を、無駄なく迅速に送信することができる。
【図面の簡単な説明】
【図１】本発明の実施形態である移動携帯端末の概略構成を示すブロック図である。
【図２】本発明の実施形態である位置検索システムの概略構成を示すブロック図である。
【図３】移動携帯端末の第１の実施例を示すフローチャートである。
【図４】第３者端末の第１の画面表示例を示す平面図である。
【図５】第３者端末の第２の画面表示例を示す平面図である。
【図６】第３者端末の第３の画面表示例を示す平面図である。
【図７】移動携帯端末の第２の実施例を示すフローチャートである。
【図８】移動携帯端末の第３の実施例を示すフローチャートである。
【図９】移動携帯端末の第４の実施例を示すフローチャートである。
【図１０】本発明の他の実施形態である位置検索システムの概略構成を示すブロック図である。
【図１１】本発明の他の実施形態である位置検索システムの概略構成を示すブロック図である。
【図１２】本発明の他の実施形態である位置検索システムの概略構成を示すブロック図である。
【符号の説明】
１  ＣＰＵ
２  ＲＯＭ
３  ＲＡＭ
４  モデム
５  無線部
６  アンテナ部
７  表示部
８  位置情報検出部
９  位置情報デコーダ部
１０  位置精度劣化生成部
【図１】
0004552366.tif 000002
【図２】
0004552366.tif 000003
【図３】
0004552366.tif 000004
【図４】
0004552366.tif 000005
【図５】
0004552366.tif 000006
【図６】
0004552366.tif 000007
【図７】
0004552366.tif 000008
【図８】
0004552366.tif 000009
【図９】
0004552366.tif 000010
【図１０】
0004552366.tif 000011
【図１１】
0004552366.tif 000012
【図１２】
0004552366.tif 000013